(57)【要約】【課題】  オーバースキャンの設定がされているときに、動画像意外のデータを表示するとき、オーバースキャンの設定を一時的に無効とすることによりデータ画面のグラフィックの品位の低下を防止する。【解決手段】  デジタルテレビジョン放送受信装置は、オーバースキャンの設定がされているとき、受信されたテレビジョン番組の動画のみを表示するときにはオーバースキャンの設定を有効にして拡大して表示し、データ放送の画像を表示するときにはオーバースキャンの設定を無効にして表示する。また、データ放送の画像および縮小動画像を表示するときにもオーバースキャンの設定を無効にして表示する。【選択図】      図５
2008271095.tif 000002
【特許請求の範囲】
【請求項１】
テレビジョン放送を受信し、テレビジョン番組の動画およびデータ放送の画像を得る受信手段と、
オーバースキャンのオン／オフ設定をするオーバースキャン設定手段と、
前記テレビジョン番組の動画を表示するときには前記オーバースキャン設定手段によるオーバースキャンの設定を有効とし、前記データ放送の画像を表示するときには前記オーバースキャン設定手段によるオーバースキャンの設定を無効とする制御手段とを備えたことを特徴とするテレビジョン受信装置。
【請求項２】
テレビジョン放送を受信し、テレビジョン番組の動画およびデータ放送の画像を得る受信手段と、
前記受信手段により受信されたテレビジョン番組の動画のみを表示するときには拡大して表示し、データ放送の画像を表示するときには拡大せずに出力する第１のスケーラーと、
前記第１のスケーラーの出力を、表示するための画像の大きさ迄拡大する第２のスケーラーと、
この第２のスケーラーの出力を表示する表示手段とを備えたことを特徴とするテレビジョン受信装置。
【請求項３】
前記第１のスケーラーは、前記データ放送の画像の他、更に前記動画も表示するときにも拡大せずに出力することを特徴とする請求項２記載のテレビジョン受信装置。
【請求項４】
更に、画像のオーバースキャンに関する設定をするオーバースキャン設定手段と、
前記第１のスケーラーが拡大せずに画像を出力している期間に、前記オーバースキャン設定手段による設定を禁止するオーバースキャン設定禁止手段とを備えたことを特徴とする請求項２または３記載のテレビジョン受信装置。
【請求項５】
受信手段により、テレビジョン放送を受信し、テレビジョン番組の動画およびデータ放送の画像を得て、
オーバースキャン設定手段により、オーバースキャンのオン／オフ設定をし、
制御手段により、前記テレビジョン番組の動画を表示するときには前記オーバースキャン設定手段によるオーバースキャンの設定を有効とし、前記データ放送の画像を表示するときには前記オーバースキャン設定手段によるオーバースキャンの設定を無効とすることを特徴とするテレビジョン受信方法。
【請求項６】
一段目としてデータ放送によるイメージが描画されるデータ放送用プレーンと、二段目として前記データ放送用プレーンと同じサイズであり、ＵＩ（ユーザ・インタフェース）用画像が描画されるＵＩ用プレーンと、三段目としてテレビジョン番組の映像が描画されるビデオ用プレーンを用いて画像処理を行うテレビジョン受信装置において、
テレビジョン放送を受信し、テレビジョン番組の動画およびデータ放送の画像を得る受信手段と、
前記データ放送の画像を前記データ放送用プレーンに書き込むデータ放送画像書込手段と、
前記データ放送用プレーンの画像を前記ＵＩ用プレーンと同じ画像サイズにスケーリングする第１のスケーラー処理部と、
この第１のスケーラー処理部の出力と前記ＵＩ用プレーンとの画像を合成する第１の合成手段と、
前記第１の合成手段により合成された画像を前記ビデオ用プレーンと同じ画像サイズにスケーリングする第２のスケーラー処理部と、
前記テレビジョン番組の動画を前記ビデオ用プレーンに書き込むビデオ画像書込手段と、
この第２のスケーラー処理部の出力と前記ビデオ用プレーンとの画像を合成する第２の合成手段とを備え、
前記第１のスケーラー処理部は、
前記データ放送によるイメージを前記第２の合成手段から出力するときには、前記データ放送用プレーンの全体の画像を前記ＵＩ用プレーンと同じ画像サイズにスケーリングし、
前記データ放送によるイメージを前記第２の合成手段から出力しないときには、前記データ放送用プレーンの一部の画像を前記ＵＩ用プレーンと同じ画像サイズにスケーリングすることを特徴とするテレビジョン受信装置。
【発明の詳細な説明】
【技術分野】
【０００１】
この発明は、テレビジョン受信装置および方法に関し、特にデータ放送に対応したテレビジョン受信装置および方法に関する。
【背景技術】
【０００２】
従来、複数の映像素材を出力することのできる映像信号出力装置において、映像素材の種類に応じてスキャン量を設定することを可能とする画像表示システムが知られている（例えば、特許文献１参照）。
【０００３】
また、画面のコンテンツに応じてテレビジョン受像機の表示方式をオーバースキャン又はアンダースキャンに自動的に切り替える表示方式切替装置及びその方法が知られている（例えば、特許文献２参照）。
【０００４】
また、パーソナルコンピュータ画面表示の際には、文字等の歪または画面端部の情報欠落をなくし、テレビジョン画面表示の際には、必要なオーバースキャンを得ることが可能な多画面表示装置も知られている（例えば、特許文献３参照）。
【０００５】
しかし、描画プレーンの構成やスケーラーの構成によっては、スケーラーで何段も異なる大きさ（画素数）へ変換するため、データ画面のグラフィックの品位が低下してしまうという問題があった。
【特許文献１】特開２００５−１４２７０９号公報
【特許文献２】特開２００５−３４５５２３号公報
【特許文献３】特開平０９−００９１６５号公報
【発明の開示】
【発明が解決しようとする課題】
【０００６】
このように従来のテレビジョン受信装置においては、データ画面のグラフィックの品位が低下してしまうという問題があった。
この発明は、データ画面のグラフィックの品位の低下を防止することを目的とする。
【課題を解決するための手段】
【０００７】
上記の目的を達成するために、この発明においては、テレビジョン放送を受信し、テレビジョン番組の動画およびデータ放送の画像を得る受信手段と、オーバースキャンのオン／オフ設定をするオーバースキャン設定手段と、前記テレビジョン番組の動画を表示するときには前記オーバースキャン設定手段によるオーバースキャンの設定を有効とし、前記データ放送の画像を表示するときには前記オーバースキャン設定手段によるオーバースキャンの設定を無効とする制御手段とを備えたことを特徴とするテレビジョン受信装置を提供する。
【０００８】
また、上記の目的を達成するために、この発明においては、受信手段により、テレビジョン放送を受信し、テレビジョン番組の動画およびデータ放送の画像を得て、オーバースキャン設定手段により、オーバースキャンのオン／オフ設定をし、制御手段により、前記テレビジョン番組の動画を表示するときには前記オーバースキャン設定手段によるオーバースキャンの設定を有効とし、前記データ放送の画像を表示するときには前記オーバースキャン設定手段によるオーバースキャンの設定を無効とすることを特徴とするテレビジョン受信方法を提供する。
【発明の効果】
【０００９】
この発明によれば、データ画面のグラフィックの品位の低下を防止することができる。
【発明を実施するための最良の形態】
【００１０】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１４】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１５】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１６】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１７】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１８】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１９】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２０】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２１】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２２】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２３】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２４】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２５】
チューナ２４５ａは、制御部２６１からの制御信号により所望のチャンネルの放送信号を選局し、この選局された放送信号をＰＳＫ（Phase Shift Keying）復調器２４５ｂに出力する。
【００２６】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２７】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２８】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３１】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３２】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３３】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３４】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３５】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３６】
また、字幕放送による字幕を表示するとき、グラフィック処理部２５４は、制御部２６１からの制御による字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４７】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００４９】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５０】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５１】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５２】
次に、デジタルテレビジョン放送受信装置１１１の描画プレーンの構成について図３を用いて詳細に説明する。
図３は、デジタルテレビジョン放送受信装置１１１の描画プレーンの構成を示す図である。
図３に示す通り、描画プレーンは三段で構成されている。
（一段目）
字幕文字用プレーン３０１は、例えばデータ放送のサービスの一つとして行われている字幕のイメージが描画される字幕文字用プレーンである。
データ番組表用プレーン３０２は、データ放送（データ放送の番組やＥＰＧ（電子番組ガイド））のイメージが描画されるデータ放送番組表用プレーンである。
データ用プレーン３０３は、更新しないような全体の書式のようなもので、例えば壁紙データが描画されるデータ用プレーンである。
この一段目の各プレーンは横９６０画素×縦５４０画素（以下、簡単に９６０×５４０等記載する場合もある。）である。
（二段目）
音量消音用プレーン３０４は、音量消音用画像（例えば、消音時に表示する“消音”マーク等）が描画される音量消音用プレーンである。
ＵＩ用プレーン３０５は、ＵＩ（ユーザ・インタフェース）用画像が描画されるＵＩ用プレーンである。
中間プレーン３０６は、字幕文字用プレーン３０１、データ番組表用プレーン３０２、データ用プレーン３０３の３つのプレーンが合成される中間プレーンである。
この二段目の各プレーンも、一段目のプレーンと同じく横９６０画素×縦５４０画素である。
（三段目）
最終プレーン３０７は、音量消音用プレーン３０４、ＵＩ用プレーン３０５、中間プレーン３０６が合成される最終プレーンである。
ビデオ用プレーン３０８は、ＭＰＥＧ２デコードしたテレビジョン番組の映像が描画されるビデオ用プレーンである。
バックグラウンド画像用プレーン３０９は、バックグラウンド画像のイメージ（例えば、１６：９のディスプレイに、１６：９の画像を左右に並べて２画面表示を行ったとき等に、上下に描画する暗いイメージ等）が描画されるバックグラウンド画像用プレーンである。
【００５３】
最終プレーン３０７、ビデオ用プレーン３０８、バックグラウンド画像用プレーン３０９の画像は合成され、最終的に表示するための画像出力３１０としてディスプレイ等へ出力され。
【００５４】
ここで、デジタルテレビジョン放送受信装置１１１が有している表示モードについて説明する。
デジタルテレビジョン放送受信装置１１１は画面サイズ切換には１６：９の映像を１６：９の画面一杯に表示する「フル」という表示モードと、４：３の中の中央部の１６：９を拡大して１６：９の画面一杯に表示する「シネマ」という表示モードを有している。これらは例えばリモートコントローラ１１７の「画面切換」ボタンを押す毎にサイクリックに設定が切り替わる。ここでは画面サイズ切換が「フル」に設定されているものとして説明をする。
【００５５】
この実施形態のデジタルテレビジョン放送受信装置１１１の映像表示器１１４は、ＨＤ番組の画素と等しい水平１９２０×垂直１０８０の画素を有するディスプレイである。
【００５６】
なお、デジタルテレビジョン放送受信装置１１１の映像表示器１１４は、水平１９２０×垂直１０８０の画素を有するディスプレイではなく、水平１３６６×垂直７６８の画素を持つものであってもよい。
【００５７】
画面サイズ切換が「フル」に設定されているときには、更に「ジャストスキャンモード」と「オーバースキャンモード」の２つの表示モードをユーザは選択することができる。
【００５８】
この表示モードは、例えばＨＤ放送（水平１９２０×垂直１０８０の画素）の番組を受信時にのみ有効となる表示モードである。デジタルテレビジョン放送受信装置１１１は、デジタルハイビジョン放送の水平１９２０×垂直１０８０のフレーム画素をスケーリング処理なしに表示するモード（以下、「ジャストスキャンモード」と記す）と、元の素材の画素をオーバースキャンさせたように外周の縁部を一部欠き、この欠けた部分を除いた中心部分をスケーラーでスケーリング（少し拡大）して表示させるモード（以下、「オーバースキャンモード」と記す）の２つの表示モードを有している。
【００５９】
次に、このように構成されたデジタルテレビジョン放送受信装置１１１で、一例としてＨＤ（High Definition）放送による番組を受信した場合の動作について説明する。
【００６０】
（ジャストスキャンモードで、データ放送の表示画面中に縮小動画を表示したときの品位）
ジャストスキャンモードで表示する場合には、一段目の９６０×５４０を、二段目の９６０×５４０にスケーリングする。このときは一段目と二段目の画素数が同一なのでズレは生じない。
【００６１】
次に、二段目の９６０×５４０を三段目の１９２０×１０８０にスケーリングする。このときは二段目と三段目の画素数が異なるので、若干のズレが生じる。
（オーバースキャンモードで、データ放送の表示画面中に縮小動画を表示したときの品位）
オーバースキャンモードで表示する場合には、一段目の９６０×５４０の一部の画像、例えば９３６×５２７を二段目の９６０×５４０にスケーリングする。
このときは一段目と二段目の画素数が若干異なる（増加させている）ので、ズレが生じる。
次に二段目の９６０×５４０を三段目の１９２０×１０８０にスケーリングする。
このときも二段目と三段目の画素数が異なるので、若干のズレが生じる。
このようにデータ放送の表示画面中に縮小動画を表示したときの品位は、ジャストスキャンモードでは１段のスケーリング処理、オーバースキャンモードでは２段のスケーリング処理である。
【００６２】
このためデータ放送の表示画面中に縮小動画を表示するときには、例えユーザによりオーバースキャンモードが設定されていたとしても、一時的にジャストスキャンモードで表示させることにより、スケーリング処理が１段減り、データ放送時のグラフィック品位を改善することができる。
【００６３】
この「ジャストスキャンモード」と「オーバースキャンモード」の２つの表示モードは、例えば図４に示すＧＵＩにより生成したフルサイズ切換画面から、ユーザが選択可能に構成されている。例えばユーザがリモートコントローラ１１７を用いて図４に示すＧＵＩ画面を表示の指示をすると、制御部２６１は図４に示すＧＵＩ画面を映像表示器１１４に表示させる。ユーザが図４に示すＧＵＩ画面により「ジャストスキャンモード」にカーソルを置き、例えばリモートコントローラ１１７の決定ボタンを押下するとデジタルテレビジョン放送受信装置１１１は「ジャストスキャンモード」に設定される。反対に、ユーザが「オーバースキャンモード」にカーソルを置き、例えばリモートコントローラ１１７の決定ボタンを押下するとデジタルテレビジョン放送受信装置１１１は「オーバースキャンモード」に設定される。図４では「オーバースキャンモード」が太枠となっているので、「オーバースキャンモード」の方にカーソルを置かれている。
【００６４】
図５は、通常の画面が動画で一杯になる表示と、データ放送の表示画面の中に視聴していた動画を縮小して嵌め込んで表示するデータ放送画面の表示とを説明するための図である。
【００６５】
デジタルテレビジョン放送受信装置１１１はデータ放送に対応しており、例えばリモートコントローラ１１７の「ｄ」ボタンを押下することによりデータ放送による番組が起動し、図５の右側に示した通り、データ放送の表示画面の中に視聴していた動画を縮小して嵌め込んで表示するデータ放送画面を表示させることができる。そして例えばリモートコントローラ１１７の「終了」ボタンを押下することにより図５の左側に示した通り「フルサイズ切換画面」での表示から通常の画面が動画で一杯の表示に戻るよう構成されている。
【００６６】
上記したデータ放送画面を表示時には、例え図４のフルサイズ切換画面において、ユーザが「オーバースキャン」に設定していたとしても、上記したデータ放送画面を表示時には一時的に「ジャストスキャン」に変更され表示処理が行われる。そしてデータ放送画面を表示中は、フルサイズ切換は操作不可能となり、図４に示したフルサイズ切換画面に入れないよう構成されている。
【００６７】
そしてデータ放送画面の表示を終えて、リモートコントローラ１１７の「終了」ボタンを押下して図５の左側に示した通り通常の画面が動画で一杯の表示に戻ると、図４に示すＧＵＩにより生成したフルサイズ切換画面でのユーザの設定が再度有効となり、「オーバースキャン」に戻る。
【００６８】
このスキャンモードの変更動作をまとめると図６のフローチャートとなる。
図６は、このスキャンモードの制御部２６１による変更動作を説明するためのフローチャートである。
ステップＳ６０１：制御部２６１は、全画面を番組の動画表示中に、データ放送の表示画面の中に視聴していた動画を縮小して嵌め込んで表示する指示を受ける。
ステップＳ６０２：現在のモードが、ジャストスキャンのモードか、或いはオーバースキャンのモードかを判断し、ジャストスキャンのモードのときにはステップＳ６０４へ進み、オーバースキャンのモードのときにはステップＳ６０３へ進む。
【００６９】
ステップＳ６０３：オーバースキャンのモードを、一時的にジャストスキャンのモードへ変更し、ステップＳ６０４へ進む。
ステップＳ６０４：ジャストスキャンの処理モードで、データ放送の表示画面の中に視聴していた動画を縮小して嵌め込んで表示する。
ステップＳ６０５：通常の全画面動画へ戻る指示を受けたか判断し、受ければステップＳ６０６へ進み、受けなければこのステップＳ６０５へ戻る。
ステップＳ６０６：Ｓ６０２でジャストスキャンへ変更したかどうか判断し、変更していなければこのまま処理を終了し、変更していればステップステップＳ６０７へ進む。なお、Ｓ６０２でジャストスキャンへ変更したかどうか判断するためには、例えば制御部２６１は変更したことを示すフラグ等をレジスタやメモリ等へ保持することにより判断させればよい。
【００７０】
ステップＳ６０７：ステップＳ６０３で一時的にジャストスキャンへ変更していたのを終了し、変更前のオーバースキャンへ戻す。
以上説明したとおり、本発明によれば、データ放送の表示画面の中に視聴していた動画を縮小して嵌め込んで表示するときには、例えユーザによりオーバースキャンモードが設定されていたとしても、一時的にジャストスキャンモードで表示させることができ、スケーリング処理が１段減るので、データ放送時のグラフィック品位を改善することができる。
【００７１】
（他の形態１）
上記実施形態では、データ放送の表示画面の中に視聴していた動画を縮小して嵌め込んで表示するデータ放送画面の表示時に一時的に「ジャストスキャン」に変更して表示を行ったが、これに代え、縮小動画なしのデータ全画面表示された場合、画面サイズを自動的にジャストスキャンにして表示するようにしてもよい。
【００７２】
このようにすると、小画面動画が無くてもジャストスキャンにすれば、オーバースキャンによる画像ボケの発生を防ぐことができるので、データ画面のグラフィックの品位を向上させることができる。
【００７３】
（他の形態２）
また、字幕放送で字幕をオンさせている期間に、一時的に「ジャストスキャン」に変更して表示するようにしてもよい。
このようにしてもデータ画面のグラフィックの品位を向上させることができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７４】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】描画プレーンの構成を示す図。
【図４】フルサイズ切換画面を説明するための図。
【図５】通常の画面が動画で一杯になる表示と、データ放送の表示画面中に、視聴していた動画を縮小して嵌め込んで表示するデータ放送画面の表示とを説明するための図。
【図６】スキャンモードの変更動作を説明するためのフローチャート。
【符号の説明】
【００７５】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008271095.tif 000003
【図２】
2008271095.tif 000004
【図３】
2008271095.tif 000005
【図４】
2008271095.tif 000006
【図５】
2008271095.tif 000007
【図６】
2008271095.tif 000008